(57)【特許請求の範囲】
【請求項１】
下面にブラシが植設されているとともに、中央に円形の開口が設けられた基板を有しており、前記基板の上面側における前記開口の周縁部にネジ止めされる取付金具を介して回転式洗浄機に装着される回転式洗浄機用ブラシの製造方法であって、
前記基板に、上面及び下面が平らな柱状のブロック体に成形された固定具を介して前記取付金具を取り付ける工程において、
複数の前記固定具を、前記基板の上面における前記開口の周囲で、取り付ける前記取付金具の種類に応じて位置及び数が異なるネジ止め部の配置に対応する位置に位置決めした上で、夫々前記基板の下面側からねじをねじ込んで固定する第１工程と、
前記基板の上面にネジ止めされた前記固定具の上面に、前記取付金具の上面側からねじをねじ込んで前記取付金具をネジ止めする第２工程と
を実行することを特徴とする回転式洗浄機用ブラシの製造方法。
【発明の詳細な説明】
【技術分野】
【０００１】
本発明は、床や壁磨き等に利用される回転式洗浄機に装着する回転式洗浄機用ブラシの製造方法に関するものである。
【背景技術】
【０００２】
従来、たとえば床面を洗浄するにあたっては、ブラシをモータ等により回転可能に装着してなる回転式床面洗浄機（たとえば、ポリッシャー）が広く使用されており、そのような回転式床面洗浄機に装着する回転式洗浄機用ブラシとしては、円板状の基板に多数のブラシを植設してなるものが利用されている（たとえば特許文献１）。そして、そのような回転式洗浄機用ブラシは、基板の中央に開設された円形の開口の周縁部に円環状の取付金具をネジ止めし、当該取付金具を介して公知の回転式洗浄機本体側（たとえば回転式洗浄機本体に内蔵されている回転軸等）に連結可能となっている。また、回転式洗浄機本体の構造や使用者の使い心地等が理由で、回転式洗浄機用ブラシの高さを調整しなければならないこともある。その際、基板の開口の周縁部に沿って肉厚部を環状に形成し、当該肉厚部へ取付金具をネジ止めするように構成していた（たとえば特許文献２）。
【先行技術文献】
【特許文献】
【０００３】
【特許文献１】実公平６−３９６２７号公報
【特許文献２】特開２００１−２９９６５６号公報
【発明の概要】
【発明が解決しようとする課題】
【０００４】
しかしながら、取付金具と基板側とのネジ止め箇所は、少ないと３箇所、多くても６箇所程度であるため、肉厚部を形成するとなると取付金具の取り付けに機能しない無駄な部分（たとえばネジ止め箇所とネジ止め箇所との間となる部分）が多く発生し、材料費のコスト高を招いていた。また、肉厚部の要否は回転式洗浄機本体の構造によることから、肉厚部は後付けで設けられることが多い。しかしながら、後付けするためには、基板毎にその開口径等に合わせて円環状の部材を製造する必要があるため、製造が煩わしく、製造コストもかかるという問題があった。さらに、取付金具におけるネジ止め箇所の位置、特に径方向での位置も取付金具の種類毎に異なっているため、全てに対応しようとすると材料費に係るコストや製造コストの更なる高騰を招くことになる。
【０００５】
そこで、本発明は、上記問題に鑑みなされたものであって、無駄を減らして材料コストを低減することができるとともに、製造コストについても低減することができ、更にはどのような取付金具にも好適に対応することができる回転式洗浄機用ブラシの製造方法を提供しようとするものである。
【課題を解決するための手段】
【０００６】
上記目的を達成するために、本発明は、下面にブラシが植設されているとともに、中央に円形の開口が設けられた基板を有しており、前記基板の上面側における前記開口の周縁部にネジ止めされる取付金具を介して回転式洗浄機に装着される回転式洗浄機用ブラシの製造方法であって、前記基板に、上面及び下面が平らな柱状のブロック体に成形された固定具を介して前記取付金具を取り付ける工程において、複数の前記固定具を、前記基板の上面における前記開口の周囲で、取り付ける前記取付金具の種類に応じて位置及び数が異なるネジ止め部の配置に対応する位置に位置決めした上で、夫々前記基板の下面側からねじをねじ込んで固定する第１工程と、前記基板の上面にネジ止めされた前記固定具の上面に、前記取付金具の上面側からねじをねじ込んで前記取付金具をネジ止めする第２工程とを実行することを特徴とする。
【発明の効果】
【０００７】
本発明によれば、基板に、上面及び下面が平らな柱状のブロック体に成形された固定具を介して取付金具を取り付ける工程において、複数の固定具を、基板の上面における開口の周囲で、取り付ける取付金具の種類に応じて位置及び数が異なるネジ止め部の配置に対応する位置に位置決めした上で、夫々基板の下面側からねじをねじ込んで固定する第１工程と、基板の上面にネジ止めされた固定具の上面に、取付金具の上面側からねじをねじ込んで取付金具をネジ止めする第２工程とを実行する。したがって、従来の円環状の肉厚部を形成する構成と比較して、取付金具の取り付けに機能しない無駄な部分が少なく、材料コストを低減することができる。また、固定具の形状や大きさは、基板の開口径等の違いに左右されないため、開口径毎に異なる素材を準備しておいたり、削る等して開口径を調整したりしていた従来と比べて、製造が容易であり、製造コストも低減することができる。さらに、基板の上面に固定する固定具の位置や数を調整するだけで、ネジ止め部の位置や数の異なる種々の取付金具に容易に対応することができる。すなわち、材料コストや製造コストをかけることなく、種々の取付金具に対応することができる汎用性の高い回転式洗浄機用ブラシを製造することができる。
また、取付金具を取り付けることで、固定具が基板の上下両側からネジ止めされる格好となるため、固定具が固定位置から位置ずれ等することがなく、基板側への取付金具の取付強度が低下することもない。
【図面の簡単な説明】
【０００８】
【図１】回転式洗浄機用ブラシを正面側から示した説明図である。
【図２】回転式洗浄機用ブラシを上面側から示した説明図である。
【図３】固定具を示した斜視説明図である。
【図４】取付金具を示した説明図である。
【図５】他の取付金具を示した説明図である。
【発明を実施するための形態】
【０００９】
以下、本発明の一実施形態となる回転式洗浄機用ブラシについて、図面にもとづき詳細に説明する。
【００１０】
図１は、回転式洗浄機用ブラシ１を正面側から示した説明図である。図２は、回転式洗浄機用ブラシ１を上面側から示した説明図である。図３は、固定具１１を示した斜視説明図である。図４は、取付金具２１を示した説明図である。図５は、他の取付金具３１を示した説明図である。なお、図１では、手前に位置する固定具１１や取付金具２１の爪部２２等を便宜上省略している。
【００１１】
回転式洗浄機用ブラシ１は、従来公知の回転式洗浄機に装着されるものであって、基板２と、基板２の下面に植設されるブラシ３と、基板２の上面にネジ止めされる固定具１１、１１・・とを備えている。基板２は、円板状に形成されており、その中央には円形の開口４が開設されている。また、本発明の要部となる固定具１１は、基板２側に取付金具２１を固定する際に使用するものであって、上面及び下面が半径２０ｍｍの円となる円柱状のブロック体として成形されている。なお、固定具１１は、十分に長い円柱部材から所望の高さとなるように切り出されて製造されており、その高さは、回転式洗浄機用ブラシ１が装着される回転式洗浄機の種類に応じて適宜決定されることになる。
【００１２】
そして、上記固定具１１は、基板２の上面で開口４の周囲となる位置に、取付金具２１の種類に応じた数だけ、取付金具２１の種類に応じた位置にネジ止めされる。たとえば、図４に示すような取付金具２１であると、周方向へ９０度毎に１つのネジ止め部２３を有している（すなわち、合計４つのネジ止め部２３、２３・・を有している）ため、基板２の上面において図２に示すような位置に、４つの固定具１１、１１・・を固定すればよい。一方、たとえば図５に示すような取付金具３１であると、周方向へ１２０度毎に１つのネジ止め部３３を有している（すなわち、合計３つのネジ止め部３３、３３・・を有している）ため、基板２の上面に３つの固定具１１、１１・・を固定すればよい。なお、固定具１１の固定位置に係り、開口４の中心からの径方向での位置に関しても、取付金具２１、３１に応じて適宜決定すればよい。また、固定具１１を基板２の上面に固定するにあたっては、所定の位置に位置決めされた固定具１１に対し、基板２の下面側から２本の固定ネジ１２、１２を固定具１１内へねじ込んで固定する。
【００１３】
そして、取付金具２１、３１は、その爪部２２、３２を開口４の内面に噛ませながら、上述の如く基板２の上面に固定されている固定具１１、１１・・の上面に当接させ、取付ネジ１３、１３・・を固定具１１，１１・・の上面からねじ込むことにより、基板２側（すなわち、開口４の周縁部）に取り付けられる。このようにして取付金具２１、３１が取り付けられた回転式洗浄機用ブラシ１は、該取付金具２１、３１を介して回転式洗浄機に装着されることになる。
【００１４】
以上のような構成を有する回転式洗浄機用ブラシ１によれば、円柱状の固定具１１、１１・・を介して取付金具２１、３１を基板２側へ取付可能としている。したがって、従来の円環状の肉厚部を形成する構成と比較して、取付金具２１、３１の取り付けに機能しない無駄な部分が少なく、材料コストを低減することができる。
【００１５】
また、固定具１１の形状や大きさは、基板２の開口４の径等の違いに左右されないため、基板２の開口４の径毎に異なる素材を準備しておいたり、削る等して開口４の径を調整したりしていた従来と比べて、製造が容易であり、製造コストも低減することができる。
【００１６】
さらに、基板２の上面に固定する固定具１１の位置や数を調整するだけで、ネジ止め部２３、３３の位置（周方向や径方向での位置）や数の異なる取付金具２１、３１に容易に対応することができる。すなわち、材料コストや製造コストをかけることなく、種々の取付金具２１、３１に対応することができる汎用性の高い回転式洗浄機用ブラシ１とすることができる。
【００１７】
加えて、取付金具２１、３１を取り付けることにより、固定具１１が、固定ネジ１２、１２と取付ネジ１３とによって基板２の上下両側からネジ止めされる格好となるため、個体具１１が固定位置から位置ずれ等することがなく、基板２側への取付金具２１、３１の取付強度が低下することもない。
【００１８】
なお、本発明に係る回転式洗浄機用ブラシは、上記実施形態の態様に何ら限定されるものではなく、回転式洗浄機用ブラシの全体的な構成は勿論、固定具等に係る構成についても、本発明の趣旨を逸脱しない範囲で、必要に応じて適宜変更することができる。
【００１９】
たとえば、上記実施形態では、固定具を円柱状のブロック体としているが、四角柱状のブロック体や三角柱状のブロック体であってもよく、上面及び下面が平らな柱状のブロック体であれば、その形状は適宜設計変更可能である。なお、固定具の径等についても、上記実施形態の数値に何ら限定されないことは言うまでもない。
また、基板や固定具の素材に関しては、上記実施形態で特に限定していないように、木製であってもよいし、合成樹脂製であってもよい。
さらに、固定具を基板の上面でどのように固定するかについても上記実施形態の固定方法に何ら限定されることはなく、適宜変更可能である。
加えて、取付金具については、上述した２種類以外にも、ネジ止め部の数は同じであるものの、その位置（特に径方向での位置）が異なる取付金具や、ネジ止め部を５個以上（たとえば６個）有する取付金具もあるが、本発明に係る回転式洗浄機用ブラシは、どのような取付金具に対しても好適に対応することができる。
【符号の説明】
【００２０】
１・・回転式洗浄機用ブラシ、２・・基板、３・・ブラシ、４・・開口、１１・・固定具、１２・・固定ネジ、１３・・取付ネジ、２１、３１・・取付金具、２３、３３・・ネジ止め部。
【図１】
0006379334.tif 000002
【図２】
0006379334.tif 000003
【図３】
0006379334.tif 000004
【図４】
0006379334.tif 000005
【図５】
0006379334.tif 000006